(57)【特許請求の範囲】
【請求項１】
他の携帯電話機と赤外線を介して通信を行う赤外線通信手段と、自携帯電話機の電話番号とその使用者氏名，前記自携帯電話機が属するグループ全体の電話番号とその電話番号を使用する使用者氏名を含んだ電話帳情報及び前記グループに属する事を示す合い言葉情報を含んだ属性情報を記憶している電話帳情報記憶手段と、前記他の携帯電話機へ前記電話帳情報を前記赤外線通信手段を介して転送する処理を行う転送処理手段とを備え、前記転送処理手段は、前記赤外線通信手段を介して前記他の携帯電話機から前記電話帳情報の転送要求信号を受信すると前記他の携帯電話機の属性情報の送信を要求し、前記他の携帯電話機の属性情報を受信すると、前記電話帳情報記憶手段を参照して容認できる属性情報であれば表示手段に受信した属性情報を表示し、前記赤外線通信手段を介して前記容認できる属性情報であることを示す信号を送出した後に前記電話帳情報を転送し、この転送中には前記表示手段に転送中であることを表示し、全ての前記電話帳情報の転送が終了すると前記他の携帯電話機へ転送終了の信号を送出し、前記表示手段に転送終了を表示して転送を終了する携帯電話機の電話帳情報転送方法において、前記転送処理手段は、前記受信した容認できる属性情報の内容を基にして予め定められた電話帳情報を選択し前記電話帳情報記憶手段から読み出して転送することを特徴とする携帯電話機の電話帳情報転送方法。
【発明の詳細な説明】
【０００１】
【発明の属する技術分野】
本発明は携帯電話機の電話帳情報転送方法に関し、特に、他の携帯電話機へ登録されている電話帳情報を赤外線を用いて転送する機能を有する携帯電話機の携帯電話帳情報転送方法に関する。
【０００２】
【従来の技術】
この種の従来技術について、図面を参照して説明する。
【０００３】
図４は従来の携帯電話機端末機の一例を示すブロック図、図５は図４に示した携帯電話端末機が電話帳データ等を他の携帯電話端末機へ転送する場合を示すフローチャートである。
【０００４】
図４及び図５において、この従来例の携帯電話端末機１０１が他の携帯電話端末機へ電話帳データ等を転送する場合、最初に記憶回路１１０から転送すべき短縮ダイヤル及び電話帳データ等を１回で送信できる分だけ読み出す（Ｓ１０１）。次に、記憶回路１１０から読み出したデータを送信信号記憶回路１１２−１，１１２−２へ書き込む（Ｓ１０２）。送信信号記憶回路１１２−１，１１２−２への書込終了後に赤外線信号が発光素子１５−１，１５−２から送出される。この赤外線が転送先の携帯電話端末機で正常に受信されると、その転送先の携帯電話端末機から正常受信の応答信号が受光素子１６−１，１６−２を介して返ってくるので、転送元の携帯電話端末機１０１はこの応答信号の受信を待つ（Ｓ１０３）。そして応答信号が受信できた場合に、転送元の携帯電話端末機１０１から送信するデータが残っているか否かを判断し（Ｓ１０４）、残っている場合は上記（Ｓ１０１）からの処理を繰り返す。データが無い場合には処理終了となる。
【０００５】
【発明が解決しようとする課題】
この従来例の携帯電話端末機においては、送信信号記憶回路１１２−１，１１２−２に書き込まれた電話帳データ等を転送先の携帯電話端末機へ赤外線信号の発光素子１６−１，１６−２を介して、送信するようになっていて、赤外線信号の受光素子のある転送先の携帯電話端末機ではどの端末機でも電話帳データが転送されて漏洩されるという問題点がある。
【０００６】
［発明の目的］
本発明の目的は、予め登録されている電話帳情報を転送先の携帯電話機の属性（電話番号，所有者，グループ番号，合い言葉等）を送信前にチェックした後に転送することができる携帯電話機及びその電話帳情報転送方法を提供する事にある。
【０００８】
【課題を解決するための手段】
本発明の携帯電話機の電話帳情報転送方式は、他の携帯電話機と赤外線を介して通信を行う赤外線通信手段と、自携帯電話機の電話番号とその使用者氏名，前記自携帯電話機が属するグループ全体の電話番号とその電話番号を使用する使用者氏名を含んだ電話帳情報及び前記グループに属することを示す合い言葉情報を含んだ属性情報を記憶している電話帳情報記憶手段と、前記他の携帯電話機へ前記電話帳情報を前記赤外線通信手段を介して転送する処理を行う転送処理手段とを備え、前記転送処理手段は、前記赤外線通信手段を介して前記他の携帯電話機から前記電話帳情報の転送要求信号を受信すると前記他の携帯電話機の属性情報の送信を要求し、前記他の携帯電話機の属性情報を受信すると、前記電話帳情報記憶手段を参照して容認できる属性情報であれば表示手段に受信した属性情報を表示し、前記赤外線通信手段を介して前記容認できる属性情報であることを示す信号を送出した後に前記電話帳情報を転送し、この転送中には前記表示手段に転送中であることを表示し、全ての前記電話帳情報の転送が終了すると前記他の携帯電話機へ転送終了の信号を送出し、前記表示手段に転送終了を表示して転送を終了し、前記転送処理手段は、前記受信した容認できる属性情報の内容を基にして予め定められた電話帳情報を選択し前記電話帳情報記憶手段から読み出して転送する。
【００１０】
【発明の実施の形態】
次に本発明について図面を参照して説明する。
【００１１】
図１は本発明の一実施の形態の携帯電話機を示すブロック図である。
【００１２】
図１において、本実施の形態の携帯電話機１は、携帯電話機１が属するグループ全体の携帯電話機の電話番号及びその使用者の氏名，この電話帳データベースを転送する場合に使用しグループに属することを示す「合い言葉情報（例えば「＊１３３９９＊」）」等を記憶している電話帳データベース１１と、この電話帳データベース１１の追加，削除，編集，起動，表示等の入力に用いるキー入力部１２と、このキー入力部１２の入力に伴った表示及び電話帳データの転送過程に関する表示を行う表示部１３と、電話帳データを転送する場合に電話帳データベース１１からのデータを一時的に記憶する送信バッファ１４と、他の携帯電話機からの電話帳データ等を受信する際に一時的に記憶する受信バッファ１５と、他の携帯電話機との電話帳データ等の送受信を赤外線を介して行う赤外線通信部１６と、電話帳データベース１１に対して電話帳情報の保存，追加，削除，編集等並び他の携帯電話機に対して電話帳データベース１１の電話帳情報の転送の処理を合い言葉情報の基に転送先を確認の上実行するデータ編集処理部１７とを有している。
【００１３】
図２は本実施の形態の携帯電話機が電話帳情報を転送する場合の動作を示すフローチャート、図３は本実施の形態の携帯電話機が電話帳情報の転送要求をした場合の動作を示すフローチャートである。
【００１４】
次に、本実施の携帯電話機１が電話帳情報を転送する場合の動作並びに転送先の本実施の形態と同等である携帯電話機（以下携帯電話機１Ａと記す）の動作について図１，図２，図３を参照して説明する。
【００１５】
尚、転送先の携帯電話機１Ａは、図１に示す携帯電話機１と同等な構成になっているものとする。
【００１６】
以下の説明を判りやすくするために、図１における携帯電話機１の電話帳データベース１１，キー入力部１２，表示部１３，送信バッファ１４，受信バッファ１５，赤外線通信部１６，データ編集処理部１７を転送先としての携帯電話機１Ａでは電話帳データベース１１Ａ，キー入力部１２Ａ，表示部１３Ａ，送信バッファ１４Ａ，受信バッファ１５Ａ，赤外線通信部１６Ａ，データ編集部１７Ａとして説明する。
【００１７】
先ず、転送先の携帯電話機１Ａは、転送元の携帯電話機１の赤外線通信部１６のある側にほぼ１ｍ以下の位置でキー入力部１２Ａから予め定められた電話帳情報の転送要求信号を入力すると、データ編集処理部１７Ａは赤外線通信部１６Ａを介して転送元の携帯電話機１に対して転送要求信号を送信する（Ｓ２１）。
【００１８】
転送元の携帯電話機１のデータ編集処理部１７は赤外線通信部１６を介して転送要求信号を受信すると（Ｓ１）、転送先の携帯電話機１Ａへ電話帳情報の転送を許可できるのかを判断するために属性要求信号を送信する（Ｓ２）。
【００１９】
携帯電話機１Ａでは、属性要求信号を受信すると（Ｓ２２）、データ編集処理部１７Ａは電話帳データベース１１Ａ内に格納している予め定められている「合い言葉情報（例えば「＊１３３９９＊」）），自己の電話番号及び所有者の氏名を含む情報を属性として送信する（Ｓ２３）。
【００２０】
携帯電話機１のデータ編集処理部１７は赤外線通信部１６を介して携帯電話機１Ａからの属性情報を受信すると、電話帳データベース１１を参照して受信した属性をチェックして電話帳情報の転送を容認してよいかどうかの判定を行い（Ｓ４）、容認できる場合には、属性ＯＫを送信し（Ｓ５）、表示部１３に受信した属性情報を表示する（Ｓ５）。
【００２１】
この表示によって、携帯電話機１の使用者を確認する事ができる。
【００２２】
データ編集処理部１７は属性ＯＫ送信後、電話帳データベース１１から転送する電話帳情報を送信バッファ１４へ移して（Ｓ７）、赤外線通信部１６から電話帳情報を転送し（Ｓ８）、表示部１３に「転送中」を表示する。この表示によって、携帯電話機１の使用者に転送過程を知らせることができる。
【００２３】
一方、転送先のデータ編集処理部１７Ａでは、属性送信後、予め設定された期間内に属性ＯＫの信号の受信の有無から送信した属性が容認されたかを判断し（Ｓ２４）、属性ＯＫを受信するとそれに続く電話帳情報を赤外線通信部１６Ａを介して受信して、一旦、受信バッファ１５Ａに記憶した後に、電話帳データベース１１Ａへ移す（Ｓ２５）。そして、表示部１３Ａに「受信中」を表示するこの表示によって、携帯電話機１Ａの使用者に電話帳情報が転送されていることを知らせる。
【００２４】
次に、転送元の携帯電話機１のデータ編集処理部１７では、転送すべき電話帳情報が残っていないかどうかを判定し、転送する情報があれば継続して電話帳データベース１１から残りの電話帳情報を転送する（Ｓ１０）。転送すべき情報がなくなると、「転送終了」の信号を送信し（Ｓ１１）、表示部１３に「転送終了」を表示させる（Ｓ１２）。
【００２５】
転送先の携帯電話機１Ａのデータ編集処理部１７Ａは「転送終了」の信号を受信するまで、電話帳情報の受信を継続して電話帳データベース１１Ａに記憶させ、「転送終了」の信号を受信すると（Ｓ２７）、表示部１３Ａに「転送終了」を表示させる（Ｓ２８）。
【００２６】
この表示部１３及び１３Ａの表示によって携帯電話機１及び１Ａの使用者に対して、一連の電話帳情報の転送動作が終了したことを知らせることができる。
【００２７】
尚、携帯電話機１Ａから属性を送信した場合に（Ｓ２３）、データ編集処理部１７でその属性を容認できなかった場合には（Ｓ４）、「送信不可」の信号を送信し（Ｓ１３）、表示部１３には「送信不可」を表示する（Ｓ１４）。
【００２８】
一方、データ編集処理部１７Ａでは、「送信不可」を受信すると、表示部１３Ａに「送信不可」を表示し、携帯電話機１Ａの使用者に電話帳情報が転送されてこないことを知らせる。
【００２９】
上記説明においては、転送元の携帯電話機１のデータ編集処理部１７が転送先の携帯電話機１Ａから送られた属性の情報をチェックして容認した場合に、単に電話帳情報を転送することについて説明したが、データ編集処理部１７が送られた属性の情報をチェックし、属性の情報に基づいた予め定められた電話帳情報を電話帳データベース１１から選択して、選択した電話帳情報のみを転送することも可能である。
【００３０】
【発明の効果】
以上説明したように本発明は、自携帯電話機の電話番号とその使用者氏名，前記自携帯電話機が属するグループ全体の電話番号とその電話番号を使用する使用者氏名を含んだ電話帳情報及び前記グループに属することを示す合い言葉情報を含んだ属性情報を記憶している電話帳情報記憶手段と、他の携帯電話機へ前記電話帳情報を赤外線通信手段を介して転送する処理を行う転送処理手段とを備え、前記転送処理手段は、前記赤外線通信手段を介して前記他の携帯電話機から前記電話帳情報の転送要求信号を受信すると前記他の携帯電話機の属性情報の送信を要求し、前記他の携帯電話機の属性情報を受信すると、前記電話帳情報記憶手段を参照して容認できる属性情報であればその属性情報の内容を基にして予め定められた電話帳情報を選択し前記電話帳情報記憶手段から読み出して転送することにより、属性情報に基づき選択した電話帳情報のみを漏洩させること無く他の携帯電話機へ転送させることができる効果がある。
【００３１】
また、表示手段を有することによって転送の通信状況を確認することができる効果がある。
【図面の簡単な説明】
【図１】本発明の一実施の形態の携帯電話機を示すブロック図である。
【図２】本実施の形態の携帯電話機が電話帳情報を転送する場合の動作を示すフローチャートである。
【図３】本実施の形態の携帯電話機が電話帳情報の転送要求をした場合の動作を示すフローチャートである。
【図４】従来の携帯電話端末機の一を示すブロック図である。
【図５】図４に示した従来の携帯電話端末機が電話帳データ等を他の携帯電話端末機へ転送する場合を示すフローチャートである。
【符号の説明】
１，１Ａ    携帯電話機
１１，１１Ａ    電話帳データベース
１２，１２Ａ    キー入力部
１３，１３Ａ    表示部
１４，１４Ａ    送信バッファ
１５，１５Ａ    受信バッファ
１６，１６Ａ    赤外線通信部
１７，１７Ａ    データ編集処理部
【図１】
0003567900.tif 000002
【図２】
0003567900.tif 000003
【図３】
0003567900.tif 000004
【図４】
0003567900.tif 000005
【図５】
0003567900.tif 000006